(57)【要約】通信システムにおいてＵＥ（１１０）によって実行される測定を制御するためにネットワークノード（１３０）を動作させる方法は、測定報告を生成するためにＵＥ（１１）によって実行されることになる測定を設定するＵＥ（１１０）に対して測定設定メッセージを通信することを含む。測定報告はＵＥ（１１０）から受信される。測定設定メッセージは、測定設定メッセージによって定義された測定の実行を開始させる明示的なインジケーションとしてＵＥに通信されてもよい。測定設定メッセージは、報告基準が満たされたときに測定報告を通信するようＵＥ（１１０）をトリガーする報告基準を定義してもよい。報告基準は、ＵＥ（１１０）が測定結果と比較して測定報告を通信するかどうかを判定するための閾値であってもよい。ＵＥ（１１０）を動作させる方法やネットワークノード（１３０）、ユーザ装置（１１０）も開示されている。
2015518300.tif 000002
【特許請求の範囲】
【請求項１】
通信システムにおいてユーザ装置ノード（ＵＥ）（１１０）によって実行される測定を制御するためにネットワークノード（１３０）を動作させる方法であって、
測定報告を生成するために前記ＵＥ（１１０）によって実行されることになる測定を設定する当該ＵＥ（１１０）に対して測定設定メッセージを通信すること（２０２，  ４０２，  ６０４）、
前記ＵＥ（１１０）から測定報告を受信すること（２０６，  ４０４，  ６０６）、
を含むことを特徴とする方法。
【請求項２】
前記ＵＥ（１１０）に対して前記測定設定メッセージを通信すること（４０２）は、前記測定報告を生成するために前記測定設定メッセージによって定義された前記測定の実行を開始するよう明示的なインジケーションとして前記ＵＥ（１１０）に対して前記測定設定メッセージを通信すること（４０２）を含むことを特徴とする請求項１に記載の方法。
【請求項３】
前記測定設定メッセージは、報告基準が満たされたときに前記測定報告を前記ネットワークノード（１３０）に対して通信するよう前記ＵＥ（１１０）に対してトリガーする当該報告基準を定義することを特徴とする請求項２に記載の方法。
【請求項４】
前記測定設定メッセージは、前記ＵＥ（１１０）が測定結果と比較して前記ネットワークノード（１２０）に対して前記測定報告を通信するかどうかを判定するための閾値を定義することを特徴とする請求項３に記載の方法。
【請求項５】
前記測定設定メッセージを前記ＵＥ（１１０）に対して通信すること（６０２）に先立って、前記ＵＥ（１１０）をＣＥＬＬ＿ＦＡＣＨステートへと切り替えさせるコマンドを通信すること（６０２）をさらに含むことを特徴とする請求項１ないし４のいずれか１項に記載の方法。
【請求項６】
前記測定設定メッセージは、ＲＲＣリコンフィギュレーションメッセージによって前記ＵＥ（１１０）に対して通信されること（２０２，  ４０２，  ６０４）を特徴とする請求項１ないし５のいずれか１項に記載の方法。
【請求項７】
前記測定設定メッセージは、測定制御メッセージによって前記ＵＥ（１１０）に対して通信されること（２０２，  ４０２，  ６０４）ことを特徴とする請求項１ないし６のいずれか１項に記載の方法。
【請求項８】
前記測定設定メッセージの通信（２０２）に続いて、前記測定設定メッセージによって設定された前記測定の実行と、前記ネットワークノード（１３０）への前記測定報告の通信とを前記ＵＥ（１１０）に対してトリガーする明示的なインジケーションを通信すること（２０４）をさらに含むことを特徴とする請求項１に記載の方法。
【請求項９】
前記明示的なインジケーションは、測定制御メッセージによって前記ＵＥ（１１０）に対して通信されること（２０４）を特徴とする請求項８に記載の方法。
【請求項１０】
前記明示的なインジケーションは、セル変更命令によって前記ＵＥ（１１０）に対して通信されること（２０４）を特徴とする請求項８に記載の方法。
【請求項１１】
前記測定設定メッセージは、前記ＵＥ（１１０）によって実行される測定であって、
アクティブセットである同一の周波数のダウンンリンク（ＤＬ）物理チャネルについてのイントラ周波数測定と、
前記アクティブセットの前記周波数とは異なる周波数のＤＬ物理チャネルについてのインター周波数測定と、
他の無線アクセスシステムに属するＤＬ物理チャネルについてのインターシステム測定と、
アップリンク（ＵＬ）トラフィック量についてのトラヒック量測定と、
ＤＬトランスポートブロックのエラーレートと、
ＵＥ送信電力と、
ＵＥ受信信号レベルと
のうち１つまたは複数の種類の測定を特定することを特徴とする請求項１ないし１０のいずれか１項に記載の方法。
【請求項１２】
通信システムにおいてユーザ装置ノード（ＵＥ）（１１０）に測定を実行させるために当該ＵＥ（１１０）を動作させる方法であって、
前記ＵＥ（１１０）によって実行される測定を設定する測定設定メッセージをネットワークノード（１３０）から受信すること（３０２，  ５０２，  ７０４）、
前記測定設定メッセージによって定義された前記測定を実行すること（３０６，  ５０４，  ７０６）、
前記測定に基づいた測定報告を前記ネットワークノード（１３０）へ通信すること（３０８，５０６，７０８）
を含むことを特徴とする方法。
【請求項１３】
前記測定設定メッセージを受信したことに応じて前記測定設定メッセージによって定義される前記測定を実行すること（５０４）を含むことを特徴とする請求項１２に記載の方法。
【請求項１４】
前記測定設定メッセージは、閾値を定義しており、
前記測定報告を前記ネットワークノード（１３０）に対して通信すること（５０６）は、前記閾値と測定値との比較に応じて実行されることを特徴とする請求項１３に記載の方法。
【請求項１５】
前記測定報告を前記ネットワークノード（１３０）に対して通信すること（５０６）は、信号強度の測定値が前記閾値を超えたことに応じて実行されることを特徴とする請求項１４に記載の方法。
【請求項１６】
前記測定報告は、前記信号強度の測定値が前記閾値を超えたかどうかを示す、測定された周波数ごとの１ビットを含むことを特徴とする請求項１５に記載の方法。
【請求項１７】
前記ネットワークノード（１３０）から前記測定設定メッセージを受信すること（７０４）に先立って、前記ＵＥをＣＥＬＬ＿ＦＡＣＨステートに切り替えるコマンドを前記ネットワークノード（１３０）から受信すること（７０２）をさらに含むことを特徴とする請求項１２ないし１６のいずれか１項に記載の方法。
【請求項１８】
前記測定設定メッセージは、ＲＲＣリコンフィギュレーションメッセージによって受信されること（３０２，  ５０２，  ７０４）を特徴とする請求項１２ないし１７のいずれか１項に記載の方法。
【請求項１９】
前記測定設定メッセージは、測定制御メッセージによって受信されること（３０２，  ５０２，  ７０４）を特徴とする請求項１２ないし１８のいずれか１項に記載の方法。
【請求項２０】
前記測定設定メッセージを受信すること（３０２）に続いて、前記測定設定メッセージによって設定された前記測定の実行（３０６）と、前記ネットワークノード（１３０）への前記測定報告の通信（３０８）とを前記ＵＥ（１１０）に対してトリガーする明示的なインジケーションを前記ネットワークノード（１３０）から受信すること（３０４）をさらに含むことを特徴とする請求項１２に記載の方法。
【請求項２１】
前記明示的なインジケーションは、測定制御メッセージによって受信されること（３０４）を特徴とする請求項２０に記載の方法。
【請求項２２】
前記明示的なインジケーションは、セル変更命令によって受信されること（３０４）を特徴とする請求項２０に記載の方法。
【請求項２３】
前記測定設定メッセージは、前記ＵＥ（１１０）によって実行される測定であって、
アクティブセットである同一の周波数のダウンンリンク（ＤＬ）物理チャネルについてのイントラ周波数測定と、
前記アクティブセットの前記周波数とは異なる周波数のＤＬ物理チャネルについてのインター周波数測定と、
他の無線アクセスシステムに属するＤＬ物理チャネルについてのインターシステム測定と、
アップリンク（ＵＬ）トラフィック量についてのトラヒック量測定と、
ＤＬトランスポートブロックのエラーレートと、
ＵＥ送信電力と、
ＵＥ受信信号レベルと
のうち１つまたは複数の種類の測定を特定するものであり、
前記ＵＥ（１１０）は、前記測定設定メッセージによって特定された前記１つまたは複数の種類の測定を実行すること（３０６，  ５０４，  ７０６）を特徴とする請求項１２ないし２２のいずれか１項に記載の方法。
【発明の詳細な説明】
【技術分野】
【０００１】
本発明は通信システムに関連する。とりわけ、ただし限定する意図はなく、本発明は、測定の制御に関連し、通信システム内でユーザ装置ノードによる測定や測定の報告に関連する。
【背景技術】
【０００２】
ユニバーサル移動通信システム（ＵＭＴＳ）は第三世代の移動通信システムであり、移動通信のためのグローバルシステム（ＧＳＭ）から発展したものであり、広帯域符号分割多元接続（ＷＣＤＭＡ）技術に基づいた、改良された移動通信サービスを提供するものである。ＵＴＲＡＮはＵＭＴＳ地上無線アクセスネットワークを短縮した呼び名であり、ＵＭＴＳ無線アクセスネットワークを構築しているノードＢや無線ネットワーク制御装置を集約した用語である。そのため、ＵＴＲＡＮはユーザ装置ノード（ＵＥ）に対して広帯域符号分割多元接続方式を用いた無線アクセスネットワークである。
【０００３】
第三世代パートナーシッププロジェクト（３ＧＰＰ）はＵＴＲＡＮやＧＳＭをベースとした無線アクセスネットワーク技術についてのさらなる進化に取り組んでいる。これに関連して、３ＧＰＰ内では進化型ユニバーサル地上無線アクセスネットワーク（Ｅ−ＵＴＲＡＮ）について標準規格化が進められている。進化型ユニバーサル地上無線アクセスネットワーク（Ｅ−ＵＴＲＡＮ）はロングタームエボリューション（ＬＴＥ）とシステムアーキテクチャエボリューション（ＳＡＥ）とを含む。
【０００４】
図１がＵＴＲＡＮシステム１００の一例を示している。システム１００は複数のＵＥ１１０を有し、これらはノードＢ１２０（たとえば、無線トランシーバ基地局）と無線エアインタフェースを介して通信する。ノードＢ１２０は無線ネットワーク制御装置（ＲＮＣ）１３０によって制御され、コアネットワーク１４０へと接続している。
【０００５】
ＵＥ１１０からノードＢ１２０へのエンハンスドアップリンクの送信能力は改良されたアップリンクパケットデータサポートを提供しつつ、さらにラウンドトリップ遅延の削減や、高ビットレート化、セルの収容能力の向上をもたらしている。ＵＥが無線リソース制御（ＲＲＣ）のＣＥＬＬ＿ＤＣＨ（セル＿専用チャネル）ステートで動作している間、ネットワークノードはＵＥ１１０に対して専用のリソースを割り当てる。ＣＥＬＬ＿ＦＡＣＨ（セル＿フォワードアクセスチャネル）ステートとＩＤＬＥ＿ＭＯＤＥ（アイドル＿モード）ステートでエンハンスドアップリンク送信が許容されている。ＵＥ１１０はステートをＣＥＬＬ＿ＦＡＣＨとＣＥＬＬ＿ＤＣＨとの間で切り替えることができ、また共通エンハンスドアップリンクリソースを利用するが、これはエンハンスド専用物理制御チャネル（Ｅ−ＤＰＤＣＨ）上で、データを送信するためにネットワークノードによって設定されなければならない。
【０００６】
ＵＥ１１０はＣＥＬＬ＿ＦＡＣＨステートにおいてＥ−ＤＰＤＣＨ上でデータを送信する一方で、共通ネットワークリソースも利用する。ＵＥ１１０がより長い時間にわたって当該リソースを使用する必要があるときは、ＲＮＣ１３０がＵＥ１１０をＣＥＬＬ＿ＦＡＣＨステートからＣＥＬＬ＿ＤＣＨステートに切り替えることができる。
【０００７】
ＵＥ１１０１１０は測定を実行し、測定結果をノードＢ１２０へ報告し、たとえば、モビリティ（移動性）の決定についてアシスト（補助）する。ＣＥＬＬ＿ＦＡＣＨにおける専用インター無線アクセス技術（ＩＲＡＴ）の測定は標準化されていないものの、ＧＳＭ上での測定はＵＥによって実行可能であり、これはＵＥベースのセル再選択メカニズムの一部として実行される。進化型ユニバーサル地上無線アクセスネットワーク（Ｅ−ＵＴＲＡＮ）上での測定については、現在のところ、ＣＥＬＬ＿ＦＡＣＨにおける測定について特定されたメカニズムが存在しない。
【０００８】
リリース１１では、「ＣＥＬＬ＿ＦＡＣＨについてのさらなる拡張」という検討事項に、「ＣＥＬＬ＿ＦＡＣＨステートからＬＴＥ（またはＥ−ＵＴＲＡ）へのモビリティエンハンスメント」というサブフィーチャが含まれている。このサブフィーチャの目的はＣＥＬＬ＿ＦＡＣＨステートからＥ−ＵＴＲＡへモビリティを拡張することである。
【０００９】
現時点で提案されているＣＥＬＬ＿ＦＡＣＨでの測定は、連続的に測定をＵＥに実行させることができる。しかし、ＵＥによる連続的な測定は電力を消費し、そのためバッテリーライフが短くなる。さらに、ＵＥによる連続的な測定は現状のＩＦや、セル再選択に使用されているＣＥＬＬ＿ＦＡＣＨ上でのＧＳＭ測定などのいずれかに遅延をもたらすかもしれない。もしＵＥがＣＥＬＬ＿ＦＡＣＨでＥ−ＵＴＲＡ測定を実行するように構成されたとすると、アップリンク（ＵＬ）シグナリングの負荷が顕著となり、システム干渉を増加させるかもしれない。これはＵＥがＲＡＣＨまたは共通Ｅ−ＤＣＨのうちどちらかのリソースを使用して測定結果を報告することになるからである。これはシステムのアクセスビリティを低下させるだろう。
【００１０】
このセクションで記載されたアプローチは達成可能であるかもしれないが、必ずしも過去に着想されているかまたは達成されているアプローチではない。よって、特に断らない限り、このセクションで記載されたアプローチは本願のクレームに対する従来技術ではなく、このセクションに含めたからといって従来技術を自認したものではない。
【００１１】
以下に記載される発明のコンセプトについてのいくつかの実施形態はいつどのように測定が実行されてユーザ装置ノード（ＵＥ）からネットワークノードへ通信されるかについて管理することに関している。以下に記載されるＵＥやネットワークノードによって実行されるいくつかの方法や動作は、ネットワークノードによって要求されたときにＵＥに測定を実行させて測定結果を報告させるものである。これらの方法や動作はＵＥ内のバッテリーパワーを節約しうるものである。さらに、ネットワークノードが測定情報を必要とするときに、ネットワークノードは、まさにそのときに、ＵＥに対して測定を実行して測定結果を報告するよう要求してもよい。これらの方法や動作はネットワーク内でのシグナリング負荷やシグナリングに起因したアップリング干渉を削減できよう。さらに、これらの方法や動作は、ネットワーク内で利用可能なリソースが十分に存在すると決定されている期間において、測定結果の報告を要求することに関してネットワークノードをアシストするであろう。要求があると測定は即座に実行可能であるため、サービスの中断期間が削減され、測定結果は即座にネットワークノードに対して搬送されることになろう。ネットワークノードはいつＵＥにワンショットの測定を実行させるかを制御できるため、ネットワークノードはＵＥにおけるアクティビティレベルの情報を利用して、測定がサービスに与える影響が小さくなるような時間を選択できる。
【００１２】
１つの実施形態は、通信システムにおいてＵＥによって実行される測定を制御するためにネットワークノードを動作させる方法に関するものである。本方法は、測定報告を生成するためにＵＥによって実行されることになる測定について設定する測定設定メッセージをＵＥに対して通信することを含む。測定報告はＵＥから受信される。
【００１３】
他の実施形態では、ＵＥに対して測定設定メッセージを通信することには、測定報告を生成するために測定設定メッセージによって定義された測定の実行を開始するよう、明示的なインジケーションとしてＵＥに対して測定設定メッセージを通信することが含まれてもよい。測定設定メッセージは、報告基準が満たされたときに測定報告をネットワークノードに対して通信するようＵＥに対してトリガーする報告基準を定義してもよい。報告基準は、ＵＥが測定結果と比較して、ネットワークノードに対して測定報告を通信するかどうかを判定するための閾値であってもよい。
【００１４】
さらに他の実施形態では、コマンドがＵＥに対して通信され、ＣＥＬＬ＿ＦＡＣＨステートへと切り替えさせ、測定設定メッセージによって定義された測定をＵＥに実行するようトリガーしてもよい。明示的なインジケーションは、ＵＥに対して通信され、ネットワークノードに対する測定報告の通信を開始させる。
【００１５】
他の実施形態では、測定設定メッセージの通信に続いて明示的なインジケーションがＵへ通信され、測定設定メッセージによって設定された測定の実行と、ネットワークノードへの測定報告の通信とをトリガーしてもよい。
【００１６】
他の実施形態によれば、通信システムにおいてＵＥに測定を実行させるためにＵＥを動作させる対応する方法に関連している。ある方法は、ＵＥによって実行される測定を設定する測定設定メッセージをネットワークノードから受信することを含む。測定設定メッセージによって定義された測定が実行され、実行された測定に基づき測定報告がネットワークノードへ通信される。
【００１７】
他の実施形態によれば、測定設定メッセージによって定義される測定は、測定設定メッセージの受信に応じて実行される。測定設定メッセージは、報告基準が満たされたときに測定報告をネットワークノードに対して通信するようＵＥをトリガーする報告基準を定義してもよい。測定設定メッセージは閾値（例：信号強度）を定義してもよいし、ネットワークノードに対する測定報告の通信が、閾値と測定値との比較に応じて（例えば、信号強度の測定値が閾値を超えたことなど）実行されてもよい。
【００１８】
他の実施形態では、コマンドがネットワークノードから受信されてもよく、コマンドはＵＥをＣＥＬＬ＿ＦＡＣＨステートにスイッチさせる。ネットワークノードから明示的なインジケーションが受信されてもよく、明示的なインジケーションはネットワークノードへの測定報告の通信を開始させる。測定報告は明示的なインジケーションを受信したことに応じてネットワークノードへ通信されてもよい。
【００１９】
１つの実施形態について記載された観点は他の実施形態に含まれることもあるかもしれないが、特別にそれらが関連し合っているわけではない。すなわち、すべての実施形態およびいずれかの実施形態の特徴はいかように組み合わせてもよいし、いかような組み合わせでもよい。さらに、実施形態にしたがった他のシステムや方法、コンピュータプログラムは以下の添付図面や詳細な説明を参照することで当業者に明らかとなるであろう。そのような追加のシステムや方法、コンピュータプログラムのすべてが本願発明の範囲に含まれ、本願のクレームによって保護される。
【図面の簡単な説明】
【００２０】
添付の図面は、開示される発明の理解を助けるために提供され、本願に含まれるとともに本願の一部をなし、本発明の非限定の実施形態を図示している。
【図１】ＵＥによってノードＢに送信される測定報告を制御する通信システムを示すブロック図である。
【図２】ＵＥによってノードＢに送信される測定報告を制御する動作と方法を示すフローチャートである。
【図３】ＵＥによってノードＢに送信される測定報告を制御する動作と方法を示すフローチャートである。
【図４】ＵＥによってノードＢに送信される測定報告を制御する動作と方法を示すフローチャートである。
【図５】ＵＥによってノードＢに送信される測定報告を制御する動作と方法を示すフローチャートである。
【図６】ＵＥによってノードＢに送信される測定報告を制御する動作と方法を示すフローチャートである。
【図７】ＵＥによってノードＢに送信される測定報告を制御する動作と方法を示すフローチャートである。
【図８】本発明のいくつかの実施形態にしたがって構成されたＵＥを示すブロック図である。
【図９】本発明のいくつかの実施形態にしたがって構成されたネットワークノードを示すブロック図である。
【発明を実施するための形態】
【００２１】
以下の詳細な説明において本発明の完全な理解を提供するために様々な特定の詳細な記述について説明する。しかし、当業者が本発明を実施する上ではこれらの詳細な記述を用いることなく実装可能であることは理解されるべきである。他の例示において、よく知られた方法、プロシージャ、コンポーネント及び回路などはここでは詳細に記述しないが、これは本発明を目立ちやすくするためである。
【００２２】
さらに、本発明の実施形態を例示するために本明細書では３ＧＰＰ ＵＴＲＡＮの技術用語を用いることとするが、これは本願発明の範囲をこれらのシステムのみに限定するものではない。ここに開示する本願発明の実施形態を実施することでの利点は他の無線システムでも得られる。したがって、ＵＥによる測定を制御し、ＵＴＲＡＮ規格をベースとしたノードＢに対して測定結果をレポート（報告）するといった内容でもって様々な実施形態について説明するが、本願発明の範囲はこれらに限定されるわけではない。
【００２３】
ノードＢ（ネットワークノード、基地局または進化型ノードＢと呼ばれることもある）やＵＥ（無線端末と呼ばれることもある）は限定をもたらすものではないと考慮されるべきであり、これらの間の階層的関係を暗示しているわけではない。一般にノードＢとＵＥは無線チャネルを介して相互に通信するそれぞれ異なる通信ノードの例示として考慮されうる。
【００２４】
図１のシステムを参照し、図示されている要素が本発明の様々な実施形態にしたがってどのように動作するかについて説明する。図１のＵＴＲＡＮシステム１００にそって様々な実施形態を記載するが、本発明はこれに限定されるものではない。
【００２５】
本発明の実施形態は、定義された測定を実行させ、対応する測定報告をノードＢへ戻させるための明示的なインジケーション（メッセージ）をＵＥ１１０に送信するよう、無線ネットワーク制御装置（ＲＮＣ）１３０、ノードＢ１２０および／または他のネットワークノードを構成することによって、上述した少なくともいくつかの課題を解決する本願の実装から得られる。同様に、ＵＥ１１０は明示的なインジケーションを受信し、測定を実行して測定結果を送信することによってインジケーションに対して応答するよう構成される。よって、ＵＥ１１０はノードＢ１２０によってリクエスト（要求）されたときに測定を実行して測定報告を送信するだけである。
【００２６】
しかしながら、ノードＢ１２０がＵＥ１１０による測定報告の生成をトリガーするという説明に基づき様々な実施形態について記載するが、他の実施形態においては、ＲＮＣ１３０や他のネットワークノードがＵＥ１１０による測定報告の生成をトリガーしてもよい。よって、以下で説明するノードＢ１２０に関する様々な動作や方法は、ノードＢ１２０に代わってまたはノードＢ１２０に加えてＲＮＣ１３０および／または本システムの他のネットワークノードによって実行されてもよい。さらに、以下でノードＢに対して通信されるものとして説明される測定結果は、そのまままたは変更されてＲＮＣ１３０および／または他のネットワークノードに転送されて、応答的な機能が実行されてもよい。
【００２７】
いくつかの実施形態によれば、ノードＢ１２０は、ＵＥ１１０がＣＥＬＬ＿ＦＡＣＨステートで動作している期間においてＵＥによって実行される測定を設定したり、当該測定の設定にしたがってＵＥ１１０が実際の測定をいつ実行して測定結果をノードＢに報告すべきかを制御したりしてもよい。
【００２８】
図２は、ノードＢ１２０によって実行可能な動作や方法２００について示しており、図３はＵＥ１１０によって実行可能な動作や方法３００について示している。図２、図３によれば、ノードＢ１２０は測定設定メッセージをＵＥ１１０に送信するが（ブロック２０２）、これはＲＲＣリコンフィギュレーションメッセージ（RRC Reconfiguration Message）および／または測定制御メッセージ（Measurement Control Message）の一部として通信されてもよい。ＵＥ１１０は測定設定メッセージによって定義された１つまたは複数の測定を実行する。測定設定メッセージは測定ＩＤや測定のタイプ（種類）、コマンド（セットアップ、変更またはリリース）、測定対象、測定量、報告の量、基準（トリガーイベント）、モード（アクノリッジ／非アクノリッジ）などを含んでもよい。
【００２９】
ＵＥ１１０は、これに対応して、ＵＥ１１０が実行する測定のタイプを制御するためにＵＥ１１０が使用しうる測定設定メッセージを受信するが（ブロック３０２）、測定設定メッセージは以下の１つまたは複数を含んでもよい：
・アクティブセットとして含まれている、同一の周波数でのダウンリンク（ＤＬ）物理チャネルについてのイントラ周波数測定
・アクティブセットの周波数とは異なる周波数のＤＬ物理チャネルについてのインター周波数測定
・ＧＳＭなど、他の無線アクセスシステムに属するＤＬ物理チャネルについてのインターシステム測定
・アップリンク（ＵＬ）トラフィック量についてのトラヒック量測定
・品質測定、ＤＬトランスポートブロックエラーレート
・内部測定、ＵＥ送信電力とＵＥ受信信号レベル。
【００３０】
ノードＢ１２０は、ＵＥ１１０に測定を実行させるための明示的なインジケーション（例：定義されたコマンドを含むメッセージなど）を通信してもよい（ブロック２０４）。明示的なインジケーションは、測定制御メッセージや他のＲＲＣメッセージを使用して、および／または、セル変更命令（Cell Change Order）などの新規もしくは変更されたＲＲＣメッセージを使用して、通信されてもよい。
【００３１】
ＵＥ１１０は、これに対して、ノードＢ１２０から明示的なインジケーションを受信し（ブロック３０４）、測定設定メッセージによって定義された測定を実行する（ブロック３０６）。
【００３２】
測定設定メッセージは測定基準を定義してもよく、測定基準はＵＥ１１０にノードＢ１２０に対して測定報告を通信することをトリガーするものである。測定基準が満たされると（たとえば、測定設定メッセージによって定義された基準やイベントが発生すると）、ＵＥ１１０は測定報告メッセージをノードＢ１２０に通信するが、測定報告には測定の結果が含まれ、測定ＩＤもさらに含まれてもよい。測定基準は、たとえば、イベントの発生によって報告をトリガーするものであってもよいし、周期的に報告させるものであってもよい。イベントトリガー型の報告基準は、定義されたイベントが発生したとき（たとえば、基準信号受信電力（ＲＳＲＰ：Reference Signal Received Power）が報告基準によって定義された報告閾値を超えたとき）に、ＵＥ１１０に報告を送信させるものである。周期的報告型の報告基準は、定義された周期的なレートで報告を送信させるものである（すなわち、ＲＳＲＰが報告閾値を超えたかどうかなどの様々な無関係のイベントは考慮しない）。
【００３３】
測定設定メッセージが定義しうる例示的な報告基準は閾値を含むことが可能であり、この閾値はＵＥ１１０によって測定値と比較され、ネットワークノード１２０に対して測定報告により測定値を通信すべきかどうかを判定するために使用されてもよい。さらなる例示として、ＵＥ１１０は、ネットワークノード１２０に対して測定報告により測定値を通信すべきかどうか（いつ通信すべきか）を判定するために、測定設定メッセージによって定義された閾値と、測定された信号強度とを比較してもよい（たとえば、測定された信号強度が特定の閾値を超えたことに応答して測定報告を通信してもよい）。
【００３４】
ＵＥ１１０は、測定設定メッセージによって定義されたイベントが発生したことなどに応答して（たとえば、測定された信号強度と特定の閾値との比較に応答して）、測定報告をノードＢ１２０に通信する（ブロック３０８）。ノードＢ１２０は、測定報告を受信する（ブロック２０６）。ＲＮＣ１３０はＵＥ１１０のモビリティマネージメント（移動性管理）のために測定報告を使用してもよい。
【００３５】
ある実施形態では、ＵＥ１１０によって生成された測定報告がビットマップを含んでもよい。これは測定設定メッセージによって設定された各周波数について、ＵＥ１１０がそれぞれ１ビットで報告するものである（たとえば、測定設定メッセージが３つの周波数について設定しているときに、ＵＥ１１０は測定報告において３つのビットを送信する）。各ビットは、対応する測定値が報告閾値を下回っているかまたは超えているかどうかに応答して、論理的「０」または「１」に設定される。換言すれば、測定報告は、当該周波数の信号強度の測定値が閾値を超えているかどうかを示すビットとして、測定された１つの周波数あたり１ビットを含んでもよい。
【００３６】
ＵＥ１１０は、たとえば、ＣＥＬＬ＿ＦＡＣＨステートに遷移している期間において、ノードＢ１２０および／または他のノードＢもしくは無線基地局から受信した基準信号を測定し、基準信号受信電力（ＲＳＲＰ）値、および／または、基準信号受信品質（ＲＳＱＰ）値を決定してもよい。ＵＥ１１０がＲＳＲＰやＲＳＲＱを決定するかどうかは、測定設定メッセージによって定義された情報によって制御されてもよい。
【００３７】
ＲＳＲＰは、ＵＥ１１０によって実行されるＲＳＳＩタイプの測定値である。ＵＥ１１０はある測定周波数帯域内でセル固有基準信号を搬送するリソースエレメントの電力寄与に対する線形平均値（［Ｗ］）としてＲＳＲＰを測定する。
【００３８】
ＲＳＲＰのリファレンスポイントは、ＵＥ１１０のアンテナコネクタであってもよい。受信ダイバーシティがＵＥ１１０によって使用されている場合、報告されるＲＳＲＰ値（すなわち、測定報告によって報告されるもの）は、１つの実施形態によれば、個別のダイバーシティブランチのいずれかにおける対応するＲＳＲＰ値以上になるであろう。
【００３９】
実施形態によれば、ＲＳＲＰ測定は、セル選択およびアイドルモードでのセル再選択についてＵＥ１１０によって実行されるプロシージャなどの間に、ＲＲＣ＿ＩＤＬＥイントラ周波数モード、ＲＲＣ＿ＣＯＮＮＥＣＴＥＤイントラ周波数モード、および／または、ＲＲＣ＿ＣＯＮＮＥＣＴＥＤイントラ周波数モードの両方で使用される。
【００４０】
ＲＳＲＱはＣ／Ｉタイプの測定値であり、受信したリファレンス（基準）信号の品質を示している。これは、 (N*RSRP)/(E-UTRA Carrier RSSI)として測定可能であり、ここでＮはＥ−ＵＴＲＡ搬送波ＲＳＳＩ測定帯域のリソースブロックの数である。分子と分母の測定値はリソースブロックの同一のセットにおいて生成される。
【００４１】
Ｅ−ＵＴＲＡ搬送波受信信号強度インジケータ（ＲＳＳＩ）は、すべての送信源からＵＥ１１０により受信されるＮ個のリソースブロックにわたって測定帯域幅におけるアンテナポート０（すなわち、スロットにおけるＯＦＤＭシンボル０と４）についての基準シンボルを含んでいるＯＦＤＭシンボルにおいてだけ観測される受信電力（［Ｗ］）のトータルの線形平均値である。搬送波ＲＳＳＩのトータル受信電力は、サービングセルおよび非サービングセルの副チャネル（co-channel）からの電力と、隣接チャネル干渉、熱雑音などを含んでいる。高位レイヤシグナリングがＲＳＲＱ測定を実行するあるサブフレームを示しているが、ＲＳＳＩは、示されたサブフレームにおけるＯＦＤＭシンボルのすべてにわたって測定される。
【００４２】
ＲＳＲＱのリファレンスポイントは、ＵＥ１１０のアンテナコネクタであってもよい。ＵＥ１１０によって受信ダイバーシティが使用されている場合、報告されるＲＳＲＱ値（すなわち、測定報告によって報告される）は、ある実施形態では、個別のダイバーシティブランチのいずれの対応するＲＳＲＱ値を下回らないものとなろう。
【００４３】
実施形態によれば、ＲＳＲＱ測定は、セル選択およびアイドルモードでのセル再選択についてＵＥ１１０によって実行されるプロシージャなどの間に、ＲＲＣ＿ＩＤＬＥイントラ周波数モード、ＲＲＣ＿ＣＯＮＮＥＣＴＥＤイントラ周波数モード、および／または、ＲＲＣ＿ＣＯＮＮＥＣＴＥＤイントラ周波数モードで使用される。
【００４４】
ＲＳＲＱ測定は、ＲＳＲＰが信頼度の高いハンドオーバやセル再選択の決定を実行するには不十分なときに、補足の情報を提供することになる。ＵＥ１１０は（たとえば、測定設定メッセージによって定義された方法に応答して）ＲＳＲＰおよび／またはＲＳＲＱを測定してもよく、ノードＢ１２０は測定報告によって報告されるＲＳＲＰおよび／またはＲＳＲＱを使用して、ＵＥ１１０についてのモビリティマネージメントに関する決定を実行してもよい。
【００４５】
いくつかの実施形態によれば、測定および報告をトリガーするための測定設定メッセージおよび明示的なインジケーションは同一のメッセージにより通信されてもよい。図４は、ノードＢ１２０によって実行される動作や方法４００を示し、図５は、ＵＥ１１０によって実行される対応する動作や方法５００を示している。
【００４６】
図４および図５によれば、ノードＢ１２０は測定設定メッセージをＵＥ１１０に通信し（ブロック４０２）、これは、セル変更命令など、ＲＲＣリコンフィギュレーションメッセージ、測定制御メッセージ、および／または、他のＲＲＣメッセージの一部として通信されてもよい。
【００４７】
ＵＥ１１０は、これに対応して、ＵＥ１１０が実行する測定のタイプを制御するためにＵＥ１１０が使用する測定設定メッセージを受信し（ブロック５０２）、さらに測定設定メッセージによって定義されている現在の測定（１つまたは複数の測定）の実行を開始させる明示的なインジケーションとして当該メッセージを使用する（ブロック５０４）。
【００４８】
測定設定メッセージは報告基準を定義していてもよく、当該報告基準はノードＢ１２０に対する測定報告の通信を実行するようＵＥ１１０をトリガーするものである。報告基準が満たされると（たとえば、測定設定メッセージによって定義された基準やイベントが発生すると）、ＵＥ１１０は測定報告メッセージをノードＢ１２０に通信するが、測定報告には測定の結果が含まれ、測定ＩＤもさらに含まれてもよい。測定設定メッセージによって定義しうる例示的な報告基準には、測定結果を測定報告に入れてネットワークノード（１２０）に対して通信するかどうかを決定するために、ＵＥ１００が測定値と比較することになる閾値が含まれてもよい。ＵＥ１１０は、ネットワークノード１２０に対して測定報告により測定値を通信すべきかどうか（いつ通信すべきか）を判定するために、測定設定メッセージによって定義された閾値と、測定された信号強度とを比較してもよい（たとえば、測定された信号強度が特定の閾値を超えたことに応答して測定報告を通信してもよい）。たとえば、報告基準は、設定されたＥ−ＵＴＲＡ周波数（たとえば、測定報告によって定義されたＥ−ＵＴＲＡ周波数、または、ＵＥ１１０に対して定義されたもの）についていずれかのセルに関して測定され品質が測定報告によって定義された（たとえば、測定報告の情報要素によって定義された）閾値を超えていることに応答して、測定報告を通信するようＵＥ１１０をトリガーしてもよい。
【００４９】
上述したように、ＵＥ１１０によって定義された測定報告はビットマップを含んでもよく、この場合、測定設定メッセージによって設定された各周波数についてＵＥ１１０が１ビットで送信することになる（たとえば、測定設定メッセージが３つの周波数について設定しているときに、ＵＥ１１０は測定報告において３つのビットを送信する）。各ビットは、対応する測定値が報告閾値を下回っているかまたは超えているかどうかに応答して、論理的「０」または「１」に設定される。換言すれば、測定報告は、当該周波数の信号強度の測定値が閾値を超えているかどうかを示すビットとして、測定された１つの周波数あたり１ビットを含んでもよい。
【００５０】
ＵＥ１１０はノードＢ１２０に対して測定報告を通信する（ブロック５０６）。ノードＢ１２０は測定報告を受信する（ブロック４０４）。ＲＮＣ１３０はＵＥ１１０モビリティマネージメントのために測定報告を使用してもよく、これは図２のブロック２０６としてすでに記載したとおりである。
【００５１】
ある実施形態では、測定が繰り返し（たとえば、周期的に）実行されたときに、ネットワークノード１２０に対する測定報告の通信に基づきさらなる測定を中止してもよい。このように、ＵＥ１１０は、報告基準が満たされたときに、測定結果についてのワンショットレポートを生成する。
【００５２】
さらに、ＵＥ１１０が周期的にまたは他の定義された条件をベースとしてノードＢ１２０に対する測定報告を繰り返し通信するように設定されている間は、ノードＢ１２０に対する測定結果についての追加の「ワンショット」測定報告を生成するよう、測定設定メッセージによって定義された報告基準によってＵＥ１１０がトリガーされてもよい。このように、ＵＥ１１０はノードＢ１２０への追加の測定報告を通信するよう制御されてもよい。
【００５３】
いくつかの実施形態によれば、ＵＥ１１０は、１つのメッセージによって測定を実行するよう制御され、他の分離したメッセージによってノードＢ１２０への測定報告の通信を制御されてもよい。図６はノードＢ１２０によって実行される動作や方法６００を示している。図７はＵＥ１１０によって実行される対応する動作や方法７００を示している。
【００５４】
図６や図７を参照すると、ノードＢ１２０はＣＥＬＬ＿ＦＡＣＨステートに切り替わるようＵＥ１１０に対してコマンドを通信し（ブロック６０２）、ここでコマンドはＲＮＣ１３０によって生成されるか、または、システム１００における他のネットワークノードによって生成される。ＵＥ１１０は、ＣＥＬＬ＿ＦＡＣＨステートに切り替わるためのコマンドを受信し（ブロック７０２）、あるステートからＣＥＬＬ＿ＦＡＣＨステートへのスイッチを実行する（たとえば、アイドルモードから接続済みモードＣＥＬＬ＿ＦＡＣＨステートへ切り替えたり、ＣＥＬＬ＿ＤＣＨステートからＣＥＬＬ＿ＦＡＣＨステートへ切り替えたり、ＵＲＡ＿ＰＣＨステートからＣＥＬＬ＿ＦＡＣＨステートへ切り替えたり、ＣＥＬＬ＿ＰＣＨステートからＣＥＬＬ＿ＦＡＣＨステートへ切り替えたりするなど）。ノードＢ１２０は、測定報告を生成させるためにＵＥ１１０によって実行されるワンタイム（一回）測定を設定する測定設定メッセージ（ＲＮＣ１３０によって生成される）を通信する（ブロック６０４）。ＵＥは測定設定メッセージを受信し（ブロック７０４）、測定設定メッセージによって定義された測定を実行することによって当該メッセージに対しして応答する（ブロック７０６）。
【００５５】
上述したように、測定設定メッセージは報告基準を定義していてもよく、当該報告基準はノードＢ１２０に対する測定報告の通信を実行するようＵＥ１１０をトリガーするものである。報告基準が満たされると（たとえば、測定設定メッセージによって定義された基準やイベントが発生すると）、ＵＥ１１０は単一の測定報告メッセージをノードＢ１２０に通信するが、測定報告には測定の結果が含まれ、測定ＩＤもさらに含まれてもよい。測定設定メッセージによって定義しうる例示的な報告基準には、測定結果を測定報告に入れてネットワークノード（１２０）に対して通信するかどうかを決定するために、ＵＥ１１０が測定値と比較することになる閾値が含まれてもよい。さらに、たとえば、ＵＥ１１０は、ネットワークノード１２０に対して測定報告により測定値を通信すべきかどうか（いつ通信すべきか）を判定するために、測定設定メッセージによって定義された閾値と、測定された信号強度とを比較してもよい（たとえば、測定された信号強度が特定の閾値を超えたことに応答して測定報告を通信してもよい）。測定報告はＲＮＣ１３０によって使用されることになる。
【００５６】
測定を実行するときに、ＵＥ１１０は、測定設定メッセージによって識別されるＥ−ＵＴＲＡ（ＩＲＡＴ）周波数についての集中スキャンを実行するよう設定されてもよい。周波数についての集中測定スキャンは、できる限り速く実行されてもよく、ＣＥＬＬ＿ＦＡＣＨについての測定に関して設定されたＦＡＣＨ測定機会のパターンにおける次の実行機会を待たずに実行されてもよい。周波数についての集中測定スキャンが完了すると、ＵＥ１１０は、利用可能なＥ−ＵＴＲＡ周波数についての情報を含む、組み合わせされた測定報告をノードＢ１２０へ送信する。
【００５７】
上述したように、ＵＥ１１０によって定義された測定報告はビットマップを含んでもよく、この場合、測定設定メッセージによって設定された各周波数についてＵＥ１１０が１ビットで送信することになる（たとえば、測定設定メッセージが３つの周波数について設定しているときに、ＵＥ１１０は測定報告において３つのビットを送信する）。各ビットは、対応する測定値が報告閾値を下回っているかまたは超えているかどうかに応答して、論理的「０」または「１」に設定される。換言すれば、測定報告は、当該周波数の信号強度の測定値が閾値を超えているかどうかを示すビットとして、測定された１つの周波数あたり１ビットを含んでもよい。
【００５８】
ＵＥ１１０は、たとえば、定義された報告基準が満たされたことに応答して、測定報告をノードＢ１２０へ通信する（ブロック７０８）。ネットワークノード１２０は、これに対して、ＵＥ１１０からの測定報告を受信する（ブロック６０６）。測定報告は、ＵＥ１１０についてのモビリティマネージメントのためにＲＮＣ１３０によって使用されうる。これは、図２のブロック２０６に関して説明したとおりである。
【００５９】
このようにいつどのように測定が実行されてＵＥからネットワークに対して通信されるかを管理することで、ＵＥ内のバッテリーパワーが節約されよう。これはネットワークによってリクエストされたときに測定が実行されて報告されるからである。ネットワークが測定情報を必要とするときに、ネットワークは、まさにその時に、ＵＥに対して測定を実行して報告するよう要求することができる。このアプローチは、ネットワークにおけるシグナリングの負荷を削減し、シグナリングに起因したＵＬ干渉も削減するであろう。さらに、このアプローチは、ネットワークに十分に利用可能なリソースがあると判明している間は、測定報告を要求するネットワークをアシストすることになろう。
【００６０】
リクエストに応じて測定はクイックに実行可能であるため、サービスの中断は削減され、測定結果はクイックにネットワークへと搬送されるであろう。
【００６１】
ネットワークはワンショット測定をいつ実行すべきかを制御するため、ＵＥにおけるアクティビティレベルの情報を利用することができる。よって、ネットワークは、測定が少なくともサービスに与える時間を選択できるようになる。
【００６２】
ＣＥＬＬ＿ＦＡＣＨにおけるネットワークトリガー型のワンショット測定は、カバレッジがあるかどうかについての情報を高速にＵＴＲＡＮに対して提供でき、この情報に基づいてネットワークは他のネットワークのリダイレクションをトリガーするかどうかの決定を実行してもよい。
【００６３】
例示的なユーザ装置ノードとネットワークノードの構成
図８は、いくつかの実施形態にしたがって構成された図２のユーザ装置ノード（ＵＥ）を示すブロック図である。ＵＥ１１０は、通信部８０４、制御回路８０２、機能モジュール８０８を含むメモリデバイス８０６（複数でもよい）を備えている。ＵＥ１１０は、さらに、表示装置８１０や入力デバイス８１２、スピーカー７１４を備えていてもよい。
【００６４】
通信部８０４（たとえば、ＷＣＤＭＡ、ＬＴＥ、または他のセルラー通信部、ブルートゥース通信部、ＷｉＦｉ通信部、ＷｉＭａｘ通信部、その他）は、ノードＢ１２０や図１に示した通信システムもしくは他の通信システムにおける他のネットワークノードと通信するように構成されている。制御回路８０２は、１つまたは複数のデータ処理回路を含んでもよく、これは一般用途向けプロセッサおよび／または特定用途向けプロセッサ（たとえば、マイクロプロセッサおよび／またはデジタル信号処理回路）などであってもよい。制御回路８０２は、メモリデバイス８０６の機能モジュール８０８からのコンピュータプログラムインストラクションを実行するように構成されており、これは以下ではコンピュータ可読媒体と呼ぶことにするが、ＵＥによって実行されるものとして記載した動作や方法の少なくともいくつかを実行することになる。
【００６５】
図９は、いくつかの実施形態にしたがって構成された図１に示したノードＢ１２０および／またはＲＮＣ１３０、他のネットワークノードなどとなりうるネットワークノードを示すブロック図である。ネットワークノード１２０、１３０は、通信部９０２、ネットワークインタフェース９０６（複数でもよい）、制御回路９０４、および／または、機能モジュール９１０を含むメモリデバイス９０８（複数でもよい）を備えてもよい。
【００６６】
通信部９０２（たとえば、ＷＣＤＭＡ、ＬＴＥ、または他のセルラー通信部、ブルートゥース通信部、ＷｉＦｉ通信部、ＷｉＭａｘ通信部、その他）は、ＵＥ１１０や、図１に示した通信システムもしくは他の通信システムにおける他のノードと通信するように構成されている。制御回路９０４は、１つまたは複数のデータ処理回路を含んでもよく、これは一般用途向けプロセッサおよび／または特定用途向けプロセッサ（たとえば、マイクロプロセッサおよび／またはデジタル信号処理回路）などであってもよい。制御回路９０４は、メモリデバイス９０８の機能モジュール９１０からのコンピュータプログラムインストラクションを実行するように構成されており、これは以下ではコンピュータ可読媒体と呼ぶことにするが、ノードＢ１２０、ＲＮＣ１３０および／または他のネットワークのノードによって実行されるものとして記載した動作や方法の少なくともいくつかを実行することになる。ネットワークインタフェース９０６がノードＢ１２０に収容されているものである場合、ＲＮＣ１３０と通信し、ＲＮＣ１３０に収容されているものである場合、ノードＢ１２０および／またはコアネットワーク１４０と通信する。
【００６７】
様々な実施形態のさらなる概要
いくつかの実施形態は、ユーザ装置ノード（ＵＥ）によって実行される測定を制御するためにネットワークノードによって実行される方法や動作に関している。ネットワークノードは測定設定メッセージをＵＥへ通信し、測定設定メッセージはＵＥによって実行されることになっている少なくとも１つの測定を設定する。ネットワークノードは明示的なインジケーションをＵＥに対して通信し、設定された測定の実行とネットワークノードに対する測定報告の通信とをトリガーする。ネットワークノードはさらに測定報告を受信する要に構成されていてもよい。
【００６８】
さらに他の実施形態では、ネットワークノードは、ＵＥがＣＥＬＬ＿ＦＡＣＨステートで動作していることに基づき、ＵＥに対して測定設定メッセージを通信する。
【００６９】
さらに他の実施形態では、ネットワークノードは、ＲＲＣリコンフィギュレーションメッセージによってＵＥに対して測定設定メッセージを通信する。
【００７０】
さらに他の実施形態では、ネットワークノードは、測定制御メッセージによってＵＥに対して測定設定メッセージを通信する。
【００７１】
さらに他の実施形態では、ネットワークノードは、測定制御メッセージによってＵＥに対して明示的なインジケーションを通信する。
【００７２】
さらに他の実施形態では、ネットワークノードは、セル変更命令によってＵＥに対して明示的なインジケーションを通信する。
【００７３】
さらに他の実施形態では、ネットワークノードは、測定設定メッセージを通信するためのメッセージと同一のメッセージ内で、ＵＥに対して明示的なインジケーションを通信する。
【００７４】
いくつかの実施形他は、通信システムにおいてネットワークノードと通信するＵＥによって実行される方法や動作に関している。ＵＥは、ＵＥによって実行されることになっている少なくとも１つの測定を設定する測定設定メッセージをネットワークノードから受信する。ＵＥはネットワークノードから明示的なインジケーションを受信し、設定された測定を実行し、設定された測定に基づく測定報告をネットワークノードへ通信することによって明示的なインジケーションに応答する。
【００７５】
さらに他の実施形態では、ＵＥはＣＥＬＬ＿ＦＡＣＨステートで動作している。
【００７６】
さらに他の実施形態では、ＵＥはＲＲＣリコンフィギュレーションメッセージによって測定設定メッセージを受信する。
【００７７】
さらに他の実施形態では、ＵＥは測定制御メッセージによって測定設定メッセージを受信する。
【００７８】
さらに他の実施形態では、ＵＥは測定制御メッセージによって明示的なインジケーションを受信する。
【００７９】
さらに他の実施形態では、ＵＥはセル変更命令によって明示的なインジケーションを受信する。
【００８０】
さらに他の実施形態では、ＵＥは、測定設定メッセージを受信するためのメッセージと同一のメッセージ内で、明示的なインジケーションを受信する。
【００８１】
いくつかの実施形態は、通信システムにおいてネットワークノードと通信するＵＥによって実行される方法や動作に関している。ＵＥは、ＵＥによって実行されることになっている少なくとも１つの測定を設定する測定設定メッセージをネットワークノードから受信する。ＵＥはＣＥＬＬ＿ＦＡＣＨステートへ切り替えるためのコマンドをネットワークノードから受信し、設定された測定を実行することによって当該コマンドに対して応答する。ＵＥはネットワークノードから明示的なインジケーションを受信し、設定された測定を実行し、設定された測定に基づく測定報告をネットワークノードへ通信することによって明示的なインジケーションに応答する。
【００８２】
用語の略称
本願で使用されている略称のリストが以下に記載されるが、これは読者の参照を容易にするためである：
・3GPP        3rd Generation Partnership Project（第三世代パートナーシッププロジェクト）
・DCH         Dedicated Channel（専用チャネル）
・DL          Downlink（ダウンリンク）
・E-DCH       Enhanced Uplink Dedicated Channel（エンハンスドアップリンク専用チャネル）
・E-UTRA      Evolved Universal Terrestrial Radio Access（進化型ユニバーサル地上無線アクセス）
・FACH        Forward Access Channel（フォワードアクセスチャネル）
・GSM         Global System for Mobile Communications（移動通信用のグローバルシステム）
・IRAT        Inter Radio Access Technology（インター無線アクセステクノロジー）
・LTE         Long-Term Evolution（ロングタームエボリューション）
・RACH        Random Access Channel（ランダムアクセスチャネル）
・RAT         Radio Access Technology（無線アクセステクノロジー）
・RRC         Radio Resource Control（無線リソース制御）
・UE          User Equipment Node（ユーザ装置ノード）
・UL          Uplink（アップリンク）
・UTRAN       Universal Terrestrial Radio Access Network（ユニバーサル地上無線アクセスネットワーク）
さらなる定義と実施形態
本発明の様々な実施形態についての上述の説明によれば、ここで使用されている用語は特定の実施形態を記載する目的でのみ使用されており、本発明を限定する目的では使用されていない。特段の定義が無い限りにおいて、ここで使用されているすべての用語（技術用語および科学用語を含む）は、本発明が属する技術分野における当業者によって理解される通常の意味と同じものを意味する。一般に使用されている辞書において定義されている用語のように、用語は本明細書や関連する技術分野にそってそれらの意味は一貫した意味として解釈されるべきであり、ここで特別に定義されている場合を除き、理想的またはあまりにも過度に形式的な感覚でもって理解されるべきものではない。
【００８３】
ある要素が他の要素に対して「接続され」、「結合され」、「応答して」と記載されるか、これらの変形例として表現されている場合、ある要素は直接的に他の要素に対して接続され、結合され、応答してもよいし、これらの間に他のものが介在していてもよい。一方で、ある要素が他の要素に対して「直接的に接続され」、「直接的に結合され」、「直接的に応答して」と記載されるか、これらの変形として表現されている場合、これらの間に他のものが介在していない。同様の番号が同様の要素に対して用いられている。さらに、ここで使用されている「結合され」、「接続され」、「応答して」やこれらの変形例は、無線により結合され、接続され、応答することも含まれてもよい。単一表現である「ａ」、「ａｎ」、「ｔｈｅ」は、明確に示されている場合を除き、複数表現も含むものとして使用されている。よく知られている機能や構造は、簡潔やおよび／または明確さのために詳細には記載されていない。用語「および／または」はリストされている関連した用語の１つまたは複数についてのいずれかおよびすべての組み合わせを含ませる用語である。
【００８４】
ここで使用されているように、用語「含む」、「備える」、「有する」、「具備する」、「持つ」やこれらの類似の用語はそれのみに限定することを意味せず、記述した特徴、数、要素、ステップ、コンポーネントまたは機能などを１つまたは複数の含んでもよく、他の特徴、数、要素、ステップ、コンポーネントまたは機能、これらのグループの１つまたは複数の存在や追加を制限するものではない。さらに、ここで使用されているように、一般的な略称「ｅ．ｇ．（たとえば）」はラテン語の「exempli gratia」から由来するものであり、一般的な例や過去に言及したものの例を紹介ないしは特定するために使用されている。一般的な略称「ｉ．ｅ．（すなわち）」は、ラテン語の「id est」に由来するものであり、より一般的な説明から特定のものを特定するために使用されている。
【００８５】
ここでは例示的な実施形態について、コンピュータに実装される方法や装置（システムおよび／またはデバイス）および／またはコンピュータプログラムプロダクトを描いたブロック図やフローチャートを参照しながら、記載した。ブロック図および／またはフローチャートにおけるにおけるブロックやブロック図および／またはフローチャートにおけるにおけるブロックの組み合わせは、１つまたは複数のコンピュータ回路によって実行されるコンピュータプログラムインストラクションによって実装されてもよい。これらのコンピュータプログラムインストラクションは、汎用コンピュータ回路のプロセッサ回路や特定用途向けコンピュータ回路、および／または、他のプログラマブルデータ処理回路に供給されてもよく、これによりマシーンを生成し、コンピュータおよび／または他のプログラマブル処理装置のプロセッサ、変換および制御トランジスタ、メモリロケーションを記憶した値、そのような回路内に設けられた他のハードウエアコンポーネントなどを介して実行されるイントラクションが、ブロック図において特定された機能／アクションおよび／またはフローチャートのブロックを実現し、その結果、手段、機能および／または構造を生成し、ブロック図および／またはフローチャートのブロックによって特定された機能やアクションが実行される。
【００８６】
コンピュータプログラムインストラクションはまた、有体のコンピュータ可読媒体に記憶されてもよく、これによりコンピュータまたは他のプログラマブルデータ処理装置に特定のマナーでもって機能させ、コンピュータ可読媒体に記憶されたインストラクションによって、ブロック図および／またはフローチャートのブロックによって特定された機能／アクションを実装するインストラクションを含む製造物を生成してもよい。
【００８７】
有体で、一時的でない、コンピュータ可読媒体は、電気、磁気、光学的、電磁気的または半導体のデータ記憶システム、装置またはデバイスを含んでもよい。さらにコンピュータ可読媒体の特定の例としては、携帯型コンピュータディスケット、ランダムアクセスメモリー（ＲＡＭ）回路、リードオンリーメモリ（ＲＯＭ）回路、消去可能なプログラマブルリードオンリーメモリ（ＥＰＲＯＭまたはＦｌａｓｈメモリ）回路、携帯型コンパクトディスク・リードオンリーメモリ（ＣＤ−ＲＯＭ）、および、携帯型デジタルビデオディスクリードオンリーメモリ（ＤＶＤ／ＢｌｕｅＲａｙ）がある。
【００８８】
コンピュータプログラムインストラクションはまた、コンピュータおよび／またはプログラマブルデータ処理装置にロードされてもよく、これによりコンピュータおよび／またはプログラマブルデータ処理装置によって一連の動作ステップが実行されてコンピュータに実装されたプロセスが生成され、これにより、コンピュータまたは他のプログラマブル装置においてインストラクションが実行され、ブロック図および／またはフローチャートのブロックによって特定された機能／アクションを実現するステップ（工程）が提供されてもよい。よって、本発明の実施形態は、ハードウエアに具現化されてもよいし、および／または、デジタル信号プロセッサなどのプロセッサを動作させるソフトウエアに具現化されてもよい。これらは集合的に回路、モジュールまたはこれらの変形物として呼ばれてもよい。
【００８９】
なお、いくつかの代替的実施形態において、上記のブロックとして記述された機能／アクションはフローチャートにおいて異なる順番でもって実行されてもよい。たとえば、連続した２つのブロックは、実際のところ、実質的に同時並行して実行されてもよいし、関与する機能やアクションに依存して、他のブロックは時々逆の順番で実行されてもよい。さらに、フローチャートおよび／またはブロック図の所定のブロックの機能は複数のブロックに分割されてもよいし、および／または、フローチャートおよび／またはブロック図の所定のブロックにおける２つ以上のブロックの機能が少なくとも部分的に統合されてもよい。最後に、記載されたブロック間に他のブロックが追加／挿入されてもよいし、および／または、ブロック／動作が本発明の範囲から逸脱することなく省略されてもよい。さらに、通信の主要な方向を示すためにいくつかの図面では通信路に矢印が付与されているが、記載された矢印とは反対の方向に通信が発生してもよいことは理解されるべきである。
【００９０】
ここでは多くの異なる実施形態が上述した説明や図面と関連付けて記載された。これらの実施形態の各コンビネーションやサブコンビネーションを文字通り記載および図示することは、過度な繰り返しや不明瞭さにつながるだろう。したがって、本願明細書および図面は、実施形態の様々なコンビネーションやサブコンビネーションの例示やこれらの製造プロセスや使用について完全な説明を構成するものと理解されるべきであり、そのようなコンビネーションやサブコンビネーションのいずれについてもクレームの根拠となるべきものである。
【００９１】
本発明の原理から実質的に逸脱することなく実施形態に対して多くの変形例や修正が可能である。そのような変形例や修正例も本願発明の技術範囲に含まれることが意図されている。
【図１】
2015518300.tif 000003
【図２】
2015518300.tif 000004
【図３】
2015518300.tif 000005
【図４】
2015518300.tif 000006
【図５】
2015518300.tif 000007
【図６】
2015518300.tif 000008
【図７】
2015518300.tif 000009
【図８】
2015518300.tif 000010
【図９】
2015518300.tif 000011
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
通信システムにおいてユーザ装置ノード（ＵＥ）（１１０）によって実行される測定を制御するためにネットワークノード（１３０）を動作させる方法であって、
前記ＵＥ（１１０）をＣＥＬＬ＿ＦＡＣＨステートへと切り替えさせるコマンドを通信すること（６０２）、
前記ＵＥ（１１０）が前記ＣＥＬＬ＿ＦＡＣＨステートで動作している一方で、測定報告を生成するために前記ＵＥ（１１０）によって実行されることになる測定を設定する当該ＵＥ（１１０）に対して測定設定メッセージを通信すること（２０２，  ４０２，  ６０４）であって、前記測定報告を生成するために前記測定設定メッセージによって定義された前記測定の実行を開始するよう明示的なインジケーションとして前記ＵＥ（１１０）に対して前記測定設定メッセージを通信すること（４０２）、
前記ＵＥ（１１０）から前記測定報告を受信すること（２０６，  ４０４，  ６０６）、
を含み、
前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーすることを特徴とする方法。
【請求項２】
前記測定設定メッセージは、無線リソース制御（ＲＲＣ）リコンフィギュレーションメッセージによって前記ＵＥ（１１０）に対して通信されること（２０２，  ４０２，  ６０４）を特徴とする請求項１に記載の方法。
【請求項３】
前記明示的なインジケーションは、測定制御メッセージによって前記ＵＥ（１１０）に対して通信されること（２０４）を特徴とする請求項１に記載の方法。
【請求項４】
前記明示的なインジケーションは、セル変更命令によって前記ＵＥ（１１０）に対して通信されること（２０４）を特徴とする請求項１に記載の方法。
【請求項５】
前記測定設定メッセージは、前記ＵＥ（１１０）によって実行される測定であって、
アクティブセットである同一の周波数のダウンンリンク（ＤＬ）物理チャネルについてのイントラ周波数測定と、
前記アクティブセットの前記周波数とは異なる周波数のＤＬ物理チャネルについてのインター周波数測定と、
他の無線アクセスシステムに属するＤＬ物理チャネルについてのインターシステム測定と、
アップリンク（ＵＬ）トラフィック量についてのトラフィック量測定と、
ＤＬトランスポートブロックのエラーレートと、
ＵＥ送信電力と、
ＵＥ受信信号レベルと
のうち１つまたは複数の種類の測定を特定することを特徴とする請求項１ないし４のいずれか１項に記載の方法。
【請求項６】
通信システムにおいてユーザ装置ノード（ＵＥ）（１１０）によって実行される測定を制御するネットワークノード（１３０）であって、前記ネットワークノード（１３０）は、
前記ＵＥ（１１０）をＣＥＬＬ＿ＦＡＣＨステートへと切り替えさせるコマンドを通信し、
前記ＵＥ（１１０）が前記ＣＥＬＬ＿ＦＡＣＨステートで動作している一方で、測定報告を生成するために前記ＵＥ（１１０）によって実行されることになる測定を設定する当該ＵＥ（１１０）に対して測定設定メッセージを通信すべく、前記測定報告を生成するために前記測定設定メッセージによって定義された前記測定の実行を開始するよう明示的なインジケーションとして前記ＵＥ（１１０）に対して前記測定設定メッセージを通信し、
前記ＵＥ（１１０）から前記測定報告を受信する
ように構成されており、
を含み、
前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーすることを特徴とするネットワークノード。
【請求項７】
通信システムにおいてユーザ装置ノード（ＵＥ）（１１０）に測定を実行させるために当該ＵＥ（１１０）を動作させる方法であって、
前記ＵＥ（１１０）をＣＥＬＬ＿ＦＡＣＨステートに切り替えるコマンドをネットワークノード（１３０）から受信すること（７０２）、
前記ＵＥ（１１０）が前記ＣＥＬＬ＿ＦＡＣＨステートで動作する一方で、前記ＵＥ（１１０）によって実行される測定を設定する測定設定メッセージを前記ネットワークノード（１３０）から受信すること（３０２，  ５０２，  ７０４）、
前記測定設定メッセージを受信したことに応じて前記測定設定メッセージによって定義された前記測定を実行すること（３０６，  ５０４，  ７０６）、
前記測定に基づいた測定報告を前記ネットワークノード（１３０）へ通信すること（３０８，５０６，７０８）
を含み、前記測定設定メッセージは前記測定報告を生成するために前記測定設定メッセージによって定義された前記測定の実行を開始するよう明示的なインジケーションとして前記ネットワークノード（１３０）から前記ＵＥ（１１０）に対して通信され、前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーするものであることを特徴とする方法。
【請求項８】
前記測定設定メッセージは、無線リソース制御（ＲＲＣ）リコンフィギュレーションメッセージによって受信されること（３０２，  ５０２，  ７０４）を特徴とする請求項７に記載の方法。
【請求項９】
前記明示的なインジケーションは、測定制御メッセージによって受信されること（３０４）を特徴とする請求項７に記載の方法。
【請求項１０】
前記明示的なインジケーションは、セル変更命令によって受信されること（３０４）を特徴とする請求項７に記載の方法。
【請求項１１】
前記測定設定メッセージは、前記ＵＥ（１１０）によって実行される測定であって、
アクティブセットである同一の周波数のダウンンリンク（ＤＬ）物理チャネルについてのイントラ周波数測定と、
前記アクティブセットの前記周波数とは異なる周波数のＤＬ物理チャネルについてのインター周波数測定と、
他の無線アクセスシステムに属するＤＬ物理チャネルについてのインターシステム測定と、
アップリンク（ＵＬ）トラフィック量についてのトラヒック量測定と、
ＤＬトランスポートブロックのエラーレートと、
ＵＥ送信電力と、
ＵＥ受信信号レベルと
のうち１つまたは複数の種類の測定を特定するものであり、
前記ＵＥ（１１０）は、前記測定設定メッセージによって特定された前記１つまたは複数の種類の測定を実行すること（３０６，  ５０４，  ７０６）を特徴とする請求項７ないし１０のいずれか１項に記載の方法。
【請求項１２】
通信システムにおいて測定を実行するユーザ装置ノード（ＵＥ）（１１０）であって、前記ＵＥは、
前記ＵＥ（１１０）をＣＥＬＬ＿ＦＡＣＨステートに切り替えるコマンドをネットワークノード（１３０）から受信し、
前記ＵＥ（１１０）が前記ＣＥＬＬ＿ＦＡＣＨステートで動作する一方で、前記ＵＥ（１１０）によって実行される測定を設定する測定設定メッセージを前記ネットワークノード（１３０）から受信し、
前記測定設定メッセージを受信したことに応じて前記測定設定メッセージによって定義された前記測定を実行し、
前記測定に基づいた測定報告を前記ネットワークノード（１３０）へ通信する
ように構成されており、
前記測定設定メッセージは、前記測定報告を生成するために前記測定設定メッセージによって定義された前記測定の実行を開始するよう明示的なインジケーションとして前記ネットワークノード（１３０）から前記ＵＥ（１１０）に対して通信され、前記測定設定メッセージは、前記ＵＥ（１１０）が前記明示的なインジケーションを受信したときに前記測定報告を前記ネットワークノード（１３０）に対して通信するよう前記ＵＥ（１１０）をトリガーするものであることを特徴とするユーザ装置ノード（ＵＥ）。
【国際調査報告】
2015518300.tif 000012
2015518300.tif 000013
2015518300.tif 000014
2015518300.tif 000015